(57)【要約】【課題】盤内実装効率を向上できるとともに、保守作業を容易かつ安全に実施できる天井通風装置を得る。【解決手段】盤本体１１の天井部分に設けられた通風用開口部２１ａを覆う通風笠３１、盤本体１１の天井部分に設けられ通風笠３１を換気用および作業用の隙間を設けた状態で取り付けるための通風笠取付台２１を備え、盤本体１１における天井部分の通風用開口部２１ａに設けられる換気フィルター４１を通風笠取付台２１に係脱自在の係止部材５１を介して取り付けるようにした。【選択図】図１
2006304521.tif 000002
【特許請求の範囲】
【請求項１】
盤本体の天井部分に設けられた通風用開口部を覆う笠状部材、前記盤本体の天井部分に設けられ前記笠状部材を換気用および作業用の隙間を設けた状態で取り付けるための取付台を備え、前記天井部分の通風用開口部に設けられる換気フィルターを前記取付台に係脱自在の係止部材を介して取り付けることを特徴とする盤構成体の通風装置。
【請求項２】
前記笠状部材を締付により前記取付台に取り付ける固定用ネジを挿入する固定用穴部を設けるとともに、前記固定用穴部に固定用ネジの締付方向と垂直方向の開口部分を設けて、前記笠状部材の取り外し時に前記固定用ネジが前記開口部分を介して前記固定用穴部から離脱できるようにしたことを特徴とする請求項１に記載の盤構成体の通風装置。
【発明の詳細な説明】
【技術分野】
【０００１】
この発明は、盤構成体の通風装置、特に、配電盤などの盤構成体の天井部に設置される換気用の天井通風装置の構造に関するものである。
【背景技術】
【０００２】
従来技術における天井通風装置では、構造が簡単で換気フィルターの取付・交換がワンタッチ操作できるものは、盤内部からの操作を前提としている（例えば、特許文献１参照）。
【０００３】
【特許文献１】特開昭５７−６５２０４号公報（第２頁、第４図）
【発明の開示】
【発明が解決しようとする課題】
【０００４】
従来の天井通風装置は盤内からの保守が必要なため、盤内の天井付近に保守スペースを確保しなければ成らず、盤内実装効率が低下していた。また、換気フィルターの交換などの保守作業の際、手や頭部を盤内に挿入して作業を実施するため、盤内実装機器と接触した場合に、怪我や実装機器の破損等に至る可能性があった。
【０００５】
この発明は、上記のような課題を解決するためになされたものであり、盤内実装効率を向上できるとともに、保守作業を容易かつ安全に実施できる天井通風装置を得ることを目的とする。
【課題を解決するための手段】
【０００６】
この発明に係る盤構成体の通風装置では、盤本体の天井部分に設けられた通風用開口部を覆う笠状部材、前記盤本体の天井部分に設けられ前記笠状部材を換気用および作業用の隙間を設けた状態で取り付けるための取付台を備え、前記天井部分の通風用開口部に設けられる換気フィルターを前記取付台に係脱自在の係止部材を介して取り付けるようにしたものである。
【発明の効果】
【０００７】
この発明によれば、盤内実装効率を向上できるとともに、保守作業を容易かつ安全に実施できる天井通風装置を得ることができる。
【発明を実施するための最良の形態】
【０００８】
実施の形態１．
この発明による実施の形態１を図１および図２に基づいて説明する。  図１は、配電盤本体に天井通風装置を取付けた斜視図である。図２は実施の形態１における通風笠取付台の構成を示す斜視図である。
【０００９】
図において、配電盤を構成する盤本体１１には、扉１２および換気口１２ａが設けられている。盤本体１１の天井部分には、通風用開口部としての換気口２１ａが設けられ、通風用開口部としての換気口２１ａに天井通風装置ＶＡが設けられる。天井通風装置ＶＡは、通風笠取付台２１および通風笠３１ならびに換気フィルター４１で構成される。通風笠取付台２１と通風笠３１との間には換気用および作業用の隙間（手の入る寸法）が設けられており、換気フィルター４１は通風笠取付台２１の内側上部に係脱自在の係止部材にて係止される。
【００１０】
図２は、通風笠取付台の斜視図である。図において、通風笠取付台２１には、換気口２１ａおよび通風笠取付穴２１ｂならびに係止部材５１が設けられている。
通風笠取付台２１は板の四辺を上部に折り曲げた構造になっており、底面に換気に必要な寸法の換気口２１ａを４分割以上で構成している。換気口２１ａを覆って換気フィルター４１が設けられており、換気フィルター４１は着脱自在の係止部材５１によって通風笠取付台２１に取り付けられる。係止部材５１はマジロック（登録商標）として知られるプラスチック成型面ファスナー等で構成されており、通風笠取付台２１の底面外周に貼着固定されている。
【００１１】
次に動作について説明する。
換気フィルター４１を取外す場合は、通風笠取付台２１と通風笠３１の隙間に手を入れ、換気フィルター４１を指で摘んで引っ張ることで容易に取外すことができる。換気フィルター４１を取付ける場合は、通風笠取付台２１と通風笠３１の隙間から換気フィルター４１を挿入し、換気フィルター４１の四辺を指で係止部材５１に押し付けることで容易に取付けることができる。
【００１２】
この実施の形態１では、天井通風装置が盤本体１１の外側に取付けられているため、盤本体１１の内部実装スペースを有効に活用することができる。換気フィルター４１の交換時には、盤本体１１の外側から作業が可能なため安全を確保することができ、ネジ及び部品の取外し作業が不要なため容易に短時間での交換作業が可能となる。
また、天井通風装置を構成する、通風笠取付台２１、通風笠３１、換気フィルター４１は簡素な部品構造となっており、部品点数も少ないことから経済的に優れた装置を得ることができる。
【００１３】
この発明による実施の形態１によれば、盤本体１１の天井部分に設けられた通風用開口部としての換気口２１ａを覆う通風笠３１からなる笠状部材、前記盤本体１１の天井部分に設けられ前記通風笠３１からなる笠状部材を換気用および作業用の隙間を設けた状態で取り付けるための通風笠取付台２１を備え、前記盤本体１１の天井部分の通風用開口部としての換気口２１ａに設けられる換気フィルター４１を前記通風笠取付台２１に係脱自在のプラスチック成型面ファスナー等で構成される係止部材５１を介して取り付けるようにしたので、盤内実装効率を向上できるとともに、保守作業を容易かつ安全に実施できる天井通風装置を得ることができる。
【００１４】
実施の形態２．
この発明による実施の形態２を図３について説明する。図３は実施の形態２における通風笠取付台の構成を示す正面図である。図４は実施の形態２における通風笠を通風笠取付台に取り付けた状態を示す正面図である。
この実施の形態２において、ここで説明する特有の構成以外の構成については、先に説明した実施の形態１における構成と同一の構成内容を具備し、同様の作用を奏するものである。図中、同一符号は同一または相当部分を示す。
【００１５】
上記実施の形態１では、固定用ネジや通風笠３１等の部品取外し作業をせずに換気フィルター４１を交換する場合について述べたが、この実施の形態２では、図３に示すように、通風笠取付台２１の通風笠取付穴２１ｂをＵ字型形状にすることにより、フィルター交換以外の理由で通風笠３１を取外す場合であってもネジを少し緩めるだけで離脱が可能となり、固定用ネジの脱落も防止することができる。
【００１６】
通風笠取付台２１には、図３に示すように、開口部分２１ｃを有するＵ字型の通風笠取付穴２１ｂが設けられている。
【００１７】
通風笠３１を通風笠取付台２１に取り付けた状態では、図４に示すように、この通風笠取付穴２１ｂには、通風笠３１に設けられた支持部材３１ａに穿設された固定用ネジ取付穴に貫挿されている固定用ネジＦＳが貫挿され、固定用ネジＦＳによる締結によって通風笠３１と通風笠取付台２１とは固着されている。
【００１８】
通風笠３１を通風笠取付台２１から取り外す場合には、固定用ネジＦＳの締結が緩められると通風笠３１の支持部材３１ａに設けられた固定用ネジ取付穴に貫挿されている固定用ネジＦＳは締付方向と垂直方向の図示上方へ移動可能となり、固定用ネジＦＳは通風笠３１および支持部材３１ａとともに通風笠取付穴２１ｂの開口部分２１ｃを通って図示上方へ移動され、通風笠３１は取り外される。
【００１９】
この発明による実施の形態２によれば、実施の形態１における構成において、前記通風笠３１からなる笠状部材を締付により前記通風笠取付台２１に取り付ける固定用ネジＦＳを挿入する通風笠取付穴２１ｂからなる固定用穴部を設けるとともに、前記通風笠取付穴２１ｂからなる固定用穴部に固定用ネジＦＳの締付方向と垂直方向の開口部分２１ｃを設けて、前記通風笠３１からなる笠状部材の取り外し時に前記固定用ネジＦＳが前記開口部分２１ｃを介して前記通風笠取付穴２１ｂからなる固定用穴部から離脱できるようにしたので、盤内実装効率を向上できるとともに、保守作業を容易かつ安全に実施でき、笠状部材の着脱も容易に行える天井通風装置を得ることができる。
【図面の簡単な説明】
【００２０】
【図１】この発明による実施の形態１における配電盤の構成を示す斜視図である。
【図２】この発明による実施の形態１における通風笠取付台の構成を示す斜視図である。
【図３】この発明による実施の形態２における通風笠取付台の構成を示す正面図である。
【図４】この発明による実施の形態２における通風笠を通風笠取付台に取り付けた状態をを示す正面図である。
【符号の説明】
【００２１】
１１  盤本体、１２  扉、１２ａ，２１ａ  換気口、２１  通風笠取付台、２１ｂ  通風笠取付穴、３１  通風笠、４１  換気フィルター、５１  係止部材。
【図１】
2006304521.tif 000003
【図２】
2006304521.tif 000004
【図３】
2006304521.tif 000005
【図４】
2006304521.tif 000006